(57)【要約】      （修正有）【課題】携帯情報端末を展示するにあたり、煩わしい作業を伴うことなく、展示用の携帯情報端末の解説情報を提供する。【解決手段】展示用の携帯情報端末４００が載置される展示装置１００と、携帯情報端末の解説情報を表示する表示装置３００とを備え、展示装置は、携帯情報端末と表示装置とを通信接続して、携帯情報端末の識別情報を、表示装置へ伝送する通信手段を有し、表示装置は、通信手段を介して携帯情報端末から伝送された識別情報に基づいて、携帯情報端末の解説情報を表示する表示部を有する。【選択図】図１
2014166341.tif 000002
【特許請求の範囲】
【請求項１】
展示用の携帯情報端末が載置される展示装置と、
前記携帯情報端末の解説情報を表示する表示装置と
を備え、
前記展示装置は、
前記携帯情報端末と前記表示装置とを通信接続して、前記携帯情報端末の識別情報を、前記表示装置へ伝送する通信手段
を有し、
前記表示装置は、
前記通信手段を介して前記携帯情報端末から伝送された識別情報に基づいて、前記携帯情報端末の解説情報を表示する表示部
を有する携帯情報端末の展示システム。
【請求項２】
前記表示装置は、
前記携帯情報端末の識別情報と、前記携帯情報端末の解説情報とを対応付けて格納する解説情報格納部
を更に有し、
前記表示部は、前記通信手段を介して前記携帯情報端末から伝送された識別情報に対応付けられて前記解説情報格納部に格納されている解説情報を表示する
請求項１に記載の携帯情報端末の展示システム。
【請求項３】
前記展示装置は、
前記携帯情報端末を固定する固定具と、
前記固定具を支持する支持台と、
前記固定具が前記支持台に支持されている状態か、前記支持台から離脱している状態かを検知する検知部と
を更に有する請求項１又は請求項２に記載の携帯情報端末の展示システム。
【請求項４】
前記展示装置は、
前記検知部が検知した状態を示す信号を前記検知部から受信して、当該信号に基づいて、前記固定具が前記支持台に支持されているか、離脱しているかを通知するデータを、前記表示装置へ送信する通知部
を更に有する請求項３に記載の携帯情報端末の展示システム。
【請求項５】
前記表示装置は、
前記携帯情報端末の識別情報と、前記携帯情報端末が固定された前記固定具の前記支持台に対する状態の変化を示す情報とを、統計的に対応付けて格納する統計情報格納部
を更に有する請求項４に記載の携帯情報端末の展示システム。
【請求項６】
通信回線を介して前記表示装置と通信接続される外部装置
を更に備え、
前記外部装置は、前記携帯情報端末の識別情報と、前記携帯情報端末の解説情報とを含むデータを、前記表示装置へ送信し、
前記表示装置は、前記通信手段を介して前記携帯情報端末から伝送された識別情報と、前記外部装置から送信されたデータに含まれる情報とに基づいて、前記携帯情報端末の解説情報を表示する
請求項３乃至請求項５のうち、いずれか１に記載の携帯情報端末の展示システム。
【請求項７】
前記表示装置は、前記携帯情報端末の識別情報と、前記携帯情報端末が固定された前記固定具の前記支持台に対する状態の変化を示す情報とを含むデータを、前記外部装置へ送信し、
前記外部装置は、前記表示装置から送信されたデータによって示される情報を、統計的に管理する
請求項６に記載の携帯情報端末の展示システム。
【請求項８】
前記展示装置には、前記携帯情報端末が複数載置され、
前記通信手段は、前記複数の携帯情報端末の各識別情報を前記表示装置へ伝送し、
前記表示部は、前記識別情報に基づいて、対応する前記携帯情報端末の前記解説情報を表示する
請求項１乃至請求項７に記載の携帯情報端末の展示システム。
【発明の詳細な説明】
【技術分野】
【０００１】
本発明は、携帯情報端末の展示システムに関する。
【背景技術】
【０００２】
携帯情報端末のサンプルは、ショップ店や家電量販店等において、様々な方法により展示されている。
【０００３】
このような背景に関連する技術としては、様々なものが知られている（例えば、特許文献１〜４参照。）。
【０００４】
例えば、特許文献１には、ＩＣ（Ｉｎｔｅｇｒａｔｅｄ  Ｃｉｒｃｕｉｔ）タグを利用した資料の展示システムが記載されている。より具体的に説明すると、この展示システムは、展示物に取り付けられ、展示物の識別情報及び展示物の解説情報を記憶した展示物用ＩＣタグデバイスを備える。また、この展示システムは、展示物を展示するための展示台に付属し、展示物用ＩＣタグデバイスから読み取られた展示物の識別情報及び展示物の解説情報を書き込んで記憶する展示台用ＩＣタグデバイスを備える。また、この展示システムは、閲覧者が所持し、展示台用ＩＣタグデバイスと通信することにより展示物の解説情報を受信して表示及び／又は音声出力する携帯型端末装置を備える。このようにして、この展示システムによっては、閲覧者は関心のある資料の解説等を容易に得ることができる。
【０００５】
また、例えば、特許文献２には、製品に関する情報を与える方法が記載されている。より具体的に説明すると、この方法は、関連製品についての製品情報を動的な表記装置によりサーバから得る。そして、この方法は、顧客のために製品情報の第１スクリーンを動的な表記装置により表示する。そして、この方法は、第１スクリーンに応答して顧客からの入力を動的な表記装置により受信する。そして、この方法は、受信した入力に基づいて表示されたスクリーンを動的な表記装置により変更する。そして、この方法は、更新された製品情報を動的な表記装置によりサーバから動的に得る。このようにして、この方法によっては、製品に関する情報を双方向で顧客へ提示できる。
【先行技術文献】
【特許文献】
【０００６】
【特許文献１】特開２００２−０９２２３１号公報
【特許文献２】特開２０１２−２５２７０７号公報
【発明の概要】
【発明が解決しようとする課題】
【０００７】
特許文献１に記載の展示システムは、展示物の識別情報及び展示物の解説情報を記憶するＩＣタグデバイスを、展示物と展示台とに取り付けなければならないといった煩わしさがある。
【０００８】
特許文献２に記載の方法は、製品を、その製品情報を表示する表記装置と共に展示しなければならず、似たような外観や機能を有する製品が多数ある場合、その製品情報を表示する表記装置がいずれの表記装置であるかを確認しながら展示しなければならないといった煩わしさがある。
【０００９】
本発明の目的は、上述した課題を解決する携帯情報端末の展示システムを提供することにある。
【課題を解決するための手段】
【００１０】
上記課題を解決するために、本発明の第１の形態によると、展示用の携帯情報端末が載置される展示装置と、携帯情報端末の解説情報を表示する表示装置とを備え、展示装置は、携帯情報端末と表示装置とを通信接続して、携帯情報端末の識別情報を、表示装置へ伝送する通信手段を有し、表示装置は、通信手段を介して携帯情報端末から伝送された識別情報に基づいて、携帯情報端末の解説情報を表示する表示部を有する。
【００１１】
なおまた、上記の発明の概要は、本発明の必要な特徴の全てを列挙したものではない。また、これらの特徴群のサブコンビネーションもまた、発明となり得る。
【発明の効果】
【００１２】
以上の説明から明らかなように、この発明によっては、携帯情報端末を展示するにあたり、煩わしい作業を伴うことなく、展示用の携帯情報端末の解説情報を提供することができる。
【図面の簡単な説明】
【００１３】
【図１】一実施形態に係る携帯情報端末４００の展示システムの一例を示す図である。
【図２】展示台１００、タブレット端末３００及び携帯情報端末４００の電気的な接続関係の一例を示す図である。
【図３】図３は、設置台２００の構成の一例を示す図である。
【図４】変換装置１１０の構成の一例を示す図である。
【図５】タブレット端末３００の構成の一例を示す図である。
【図６】統計情報３６１の一例を示す図である。
【図７】解説情報３６２の一例を示す図である。
【図８】展示システムのネットワーク構成図である。
【図９】複数の携帯情報端末４００ａ〜４００ｄの展示システムの一例を示す図である。
【図１０】展示台１０３、タブレット端末３００及び複数の携帯情報端末４００ａ〜４００ｄの電気的な接続関係の一例を示す図である。
【図１１】複数の携帯情報端末４００ａ〜４００ｄを接続する変換装置１６０の構成の一例を示す図である。
【発明を実施するための形態】
【００１４】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１５】
図１は、一実施形態に係る携帯情報端末４００の展示システムの一例を示す。
【００１６】
携帯情報端末４００の展示システムは、展示台１００及びタブレット端末３００を備える。なおまた、展示台１００は、この発明における「展示装置」の一例であってよい。また、タブレット端末３００は、この発明における「表示装置」の一例であってよい。
【００１７】
展示台１００は、展示用の携帯情報端末４００が載置される装置である。展示台１００の上面には、携帯情報端末４００が載置される設置台２００が設けられている。また、展示台１００の上面には、タブレット端末３００が載置される。そのため、展示台１００の上面は、載置されたタブレット端末３００のタッチパネルが視認し易いように傾斜している。
【００１８】
タブレット端末３００は、コンピュータ製品の分類の一つで、板状の筐体の片面が触れて操作できるタッチパネルになっており、ほとんどの操作を画面に触れて行うタイプの装置である。タブレット端末３００は、携帯情報端末４００の解説情報を表示する。
【００１９】
図２は、展示台１００、タブレット端末３００及び携帯情報端末４００の電気的な接続関係の一例を示す。
【００２０】
携帯情報端末４００は、展示台１００の筐体内に設けられたＵＳＢ（Ｕｎｉｖｅｒｓａｌ  Ｓｅｒｉａｌ  Ｂｕｓ）ケーブル１２０を介してタブレット端末３００と通信接続される。そして、携帯情報端末４００は、例えば、タブレット端末３００からのリクエストに応じて、自端末の識別情報を、タブレット端末３００へ送信する。なおまた、ＵＳＢケーブル１２０は、この発明における「通信手段」の一例であってよい。本発明において、「通信手段」は特に限定されるものではなく、上記のＵＳＢケーブル等の有線通信手段の他、ＢＬＵＥＴＯＯＴＨ（登録商標）などの無線通信手段で構成してもよい。
【００２１】
設置台２００は、展示台１００の筐体内に設けられた信号ケーブル１３０を介して展示台１００の変換装置１１０と電気的に接続される。一方、タブレット端末３００は、展示台１００の筐体内に設けられたＵＳＢケーブル１４０を介して変換装置１１０と通信接続される。そして、設置台２００は、信号ケーブル１３０を介して、変換装置１１０へ信号を送信する。変換装置１１０は、設置台２００から送信された信号を受信すると、その信号によって示される内容を、タブレット端末３００によって処理し得る情報を示すデータに変換する。そして、変換装置１１０は、そのデータを、ＵＳＢケーブル１４０を介してタブレット端末３００へ送信する。なおまた、変換装置１１０は、この発明における「通知部」の一例であってよい。
【００２２】
図３は、設置台２００の構成の一例を示す。
【００２３】
設置台２００は、上部筐体２１０及び下部筐体２２０を備える。下部筐体２２０は、展示台１００の上面に固定されている。また、下部筐体２２０は、ケーブル２３０にて上部筐体２１０と接続されている。そして、上部筐体２１０には、携帯情報端末４００が固定される。なおまた、上部筐体２１０は、この発明における「固定具」の一例であってよい。また、下部筐体２２０は、この発明における「支持台」の一例であってよい。なお、上部筐体２１０と下部筐体２２０との接続は、上記のケーブル２３０に限られず、一例としてマグネットにより着脱可能に構成されていてもよい。
【００２４】
通常、上部筐体２１０は、下部筐体２２０に支持されている。そして、携帯情報端末４００の閲覧者が携帯情報端末４００を持ち上げると、上部筐体２１０は、下部筐体２２０から離脱することになる。
【００２５】
下部筐体２２０の筐体内には、接点監視回路２２１、電源回路２２２及び接点インターフェース２２３が設けられている。なおまた、接点監視回路２２１は、この発明における「検知部」の一例であってよい。
【００２６】
接点監視回路２２１は、上部筐体２１０が下部筐体２２０に支持されている状態か、下部筐体２２０から離脱している状態かを検知する回路である。例えば、上部筐体２１０が下部筐体２２０に支持されている状態において、上部筐体２１０の下面に設けられた電気接点と、下部筐体２２０の上面に設けられた電気接点とが接触しているように構成されていれば、接点監視回路２２１は、接点同士が接触している場合、上部筐体２１０が下部筐体２２０に支持されている状態であることを検知し、接点同士が接触していない場合、下部筐体２２０から離脱している状態であることを検知する。
【００２７】
電源回路２２２は、外部電源１５０から供給される電力を、接点監視回路２２１へ供給する回路である。
【００２８】
接点インターフェース２２３は、信号ケーブル１３０のコネクタが接続されるインターフェースである。
【００２９】
このような構成により、接点監視回路２２１は、上部筐体２１０が下部筐体２２０から離脱したことを検知すると、その旨を示す信号を、接点インターフェース２２３を介して変換装置１１０へ送信する。また、接点監視回路２２１は、上部筐体２１０が下部筐体２２０に支持されたことを検知すると、その旨を示す信号を、接点インターフェース２２３を介して変換装置１１０へ送信する。
【００３０】
図４は、変換装置１１０の構成の一例を示す。
【００３１】
変換装置１１０の筐体内には、電源回路１１１、ＣＰＵ（Ｃｅｎｔｒａｌ  Ｐｒｏｃｅｓｓｉｎｇ  Ｕｎｉｔ）１１２、ＲＯＭ（Ｒｅａｄ  Ｏｎｌｙ  Ｍｅｍｏｒｙ）１１３、ＲＡＭ（Ｒａｎｄｏｍ  Ａｃｃｅｓｓ  Ｍｅｍｏｒｙ）１１４、接点インターフェース１１５、変換回路１１６及びＵＳＢインターフェース１１７が設けられている。
【００３２】
電源回路１１１は、外部電源１５０から供給される電力を、ＣＰＵ１１２等の他の部品へ供給する回路である。
【００３３】
ＣＰＵ１１２は、変換装置１１０を構成する各装置の制御やデータの計算、加工を行う装置である。
【００３４】
ＲＯＭ１１３は、読み出し専用記憶装置である。
【００３５】
ＲＡＭ１１４は、半導体素子を利用した記憶装置である。
【００３６】
接点インターフェース１１５は、信号ケーブル１３０のコネクタが接続されるインターフェースである。
【００３７】
変換回路１１６は、下部筐体２２０から受信した信号によって示される内容を、タブレット端末３００によって処理し得る情報を示すデータに変換する回路である。
【００３８】
ＵＳＢインターフェース１１７は、ＵＳＢケーブル１４０のコネクタが接続されるインターフェースである。
【００３９】
このような構成により、変換装置１１０は、接点監視回路２２１が検知した状態を示す信号を受信して、その信号に基づいて、上部筐体２１０が下部筐体２２０に支持されているか、離脱しているかを通知するデータを、タブレット端末３００へ送信する。
【００４０】
図５は、タブレット端末３００の構成の一例を示す。
【００４１】
タブレット端末３００は、電源回路３１０、ＣＰＵ３２０、ＲＯＭ３３０、ＲＡＭ３４０、無線通信装置３５０、外部記憶装置３６０、タッチパネル３７０及びＵＳＢインターフェース３８０を備える。なおまた、外部記憶装置３６０は、この発明における「解説情報格納部」及び「統計情報格納部」の一例であってよい。また、タッチパネル３７０は、この発明における「表示部」の一例であってよい。
【００４２】
電源回路３１０は、外部電源１５０から供給される電力を、ＣＰＵ３２０等の他の部品へ供給する回路である。
【００４３】
ＣＰＵ３２０は、タブレット端末３００を構成する各装置の制御やデータの計算、加工を行う装置である。
【００４４】
ＲＯＭ３３０は、読み出し専用記憶装置である。
【００４５】
ＲＡＭ３４０は、半導体素子を利用した記憶装置である。
【００４６】
無線通信装置３５０は、外部のコンピュータと通信を行うための装置である。
【００４７】
外部記憶装置３６０は、タブレット端末３００内でデータやプログラムを記憶する装置である。外部記憶装置３６０には、統計情報３６１及び解説情報３６２が記憶される。ここで、統計情報３６１には、携帯情報端末４００の識別情報と、携帯情報端末４００が固定された上部筐体２１０の下部筐体２２０に対する状態の変化を示す情報とが、統計的に対応付けられて格納される。また、解説情報３６２には、携帯情報端末４００の識別情報と、携帯情報端末４００の解説情報とが対応付けられて記憶される。
【００４８】
タッチパネル３７０は、指先や専用のペンで画面に触れることで入力を行う装置である。タッチパネル３７０は、ＵＳＢケーブル１２０を介して携帯情報端末４００から伝送された識別情報に基づいて、携帯情報端末４００の解説情報を表示する。例えば、タッチパネル３７０は、ＵＳＢケーブル１２０を介して携帯情報端末４００から伝送された識別情報に対応付けられて外部記憶装置３６０に格納されている解説情報３６２を表示する。
【００４９】
ＵＳＢインターフェース３８０は、ＵＳＢケーブル１２０のコネクタや、ＵＳＢケーブル１４０のコネクタが接続されるインターフェースである。
【００５０】
図６は、統計情報３６１の一例を示す。
【００５１】
具体的には、端末識別情報、オン／オフ、日付情報、時刻情報を、接点監視回路２２１が接点の変化を検出する毎に記憶する。ここで、端末識別情報とは、設置台２００に展示された携帯情報端末４００の端末識別情報であり、オン／オフとは、接点監視回路２２１が検出した接点の変化情報である。
【００５２】
図７は、解説情報３６２の一例である。
【００５３】
具体的には、端末識別情報毎に、携帯情報端末４００の機能説明コンテンツ、携帯情報端末４００の仕様説明コンテンツ、価格情報コンテンツ、キャンペーン情報コンテンツ等が考えられる。
【００５４】
図８は、展示システムのネットワーク構成図である。
【００５５】
店頭に設置される、タブレット端末３００は、通信回線６００を介してサーバ５００に接続される。サーバ５００には、展示される携帯情報端末４００の解説コンテンツ情報を格納する解説情報データベース５２０と、各タブレット端末３００から送信されてくる統計情報を格納する統計情報データベース５１０で構成されている。なおまた、サーバ５００は、この発明における「外部装置」の一例であってよい。
【００５６】
各タブレット端末３００は、サーバ５００の解説情報データベース５２０が新しく更新されると、通信回線６００を介して、解説情報３６２を更新する。
【００５７】
また、各タブレット端末３００は、展示された携帯情報端末４００の統計情報３６１を、定期的に通信回線６００を介して、サーバ５００に送信し、サーバ５００では、その情報を、統計情報データベース５１０に格納し、一元的に管理する。
【００５８】
以上説明したように、展示台１００によっては、携帯情報端末４００を展示するにあたり、煩わしい作業を伴うことなく、展示用の携帯情報端末４００の解説情報を提供することができる。
【００５９】
また、展示する携帯情報端末４００に関する解説情報を、限定された少ないスペースの中で、ほぼ無限に閲覧者に対して提供する事が可能となる。
【００６０】
一方で、閲覧者にとっては、提供された情報のうち、必要とする情報、または興味のある情報だけを選択して入手する事が可能となる。
【００６１】
また、展示者にとっては、閲覧者が、展示した携帯情報端末４００に関して、手に取った回数をカウントすることで、どの程度の興味を持ったのかを知ることが可能となる。
【００６２】
さらに、これまでは、展示する携帯情報端末４００の位置を変更した場合、それに伴って携帯情報端末４００の解説を記述したボードやパネル等も、同時に移動させる必要があったが、本発明によって、これらの店頭での作業が大幅に軽減することが可能となる。
【００６３】
なおまた、本発明は上記した実施例に限定されるものではなく、様々な変形例が含まれる。例えば、上記の各構成、機能、処理部、処理手段等は、それらの一部又は全部を、例えば集積回路で設計する等により一体化させて実現させてもよい。たとえば、設置台２００と変換装置１１０を一体化させて実現させてもよい。
【００６４】
また、データベース構造に含まれるコンテンツは説明上必要と考えられるものを示しており、製品上必ずしもすべてのコンテンツを示しているとは限らない。また、製品上すべてを同時に搭載するとは限らない。
【００６５】
また、制御線や情報線は説明上必要と考えられるものを示しており、製品上必ずしも全ての制御線や情報線を示しているとは限らない。実際には殆ど全ての構成が相互に接続されていると考えてもよい。
【００６６】
上記の実施の形態に関して、図１等に示すところでは、１つの携帯情報端末４００を図示して説明したが、図１等で図示した１つの携帯情報端末４００は例示に過ぎない。即ち、本発明は携帯情報端末４００は１つで構成しなければならい理由は何もなく、複数の携帯情報端末４００を展示可能な構成としてもよいことは言うまでもない。以下、携帯情報端末４００を複数設ける実施の形態について、説明を続ける。なお、上記の実施の形態の展示システムと同様の構成については、同じ符号を付して詳細な説明を省略する。
【００６７】
図９は、複数の携帯情報端末４００ａ〜４００ｄの展示システムの一例を示す。図９に示すように、展示台１０３の上面には、設置台２００ａ〜２００ｄのそれぞれに載置された携帯情報端末４００ａ〜４００ｄが複数設けられている。タブレット端末３００は、携帯情報端末４００ａ〜４００ｄのそれぞれの解説情報を表示する。
【００６８】
図１０は、展示台１０３、タブレット端末３００、及び、複数の携帯情報端末４００ａ〜４００ｄの電気的な接続関係の一例を示す。図１０に示すように、携帯情報端末４００ａ〜４００ｄは、それぞれ、ＵＳＢケーブル１７０ａ〜１７０ｄによって展示台１０３（図９に示す）の筐体内に設けられた変換装置１６０と通信接続される。そして、変換装置１６０は、携帯情報端末４００ａ〜４００ｄの各データを、ＵＳＢケーブル１４０を介してタブレット端末３００へ送信する。なお、ＵＳＢケーブル１７０ａ〜１７０ｄ、ＵＳＢケーブル１４０、変換装置１６０は、この発明における「通信手段」の一例であってよい。
【００６９】
図１０に示す設置台２００ａ〜２００ｄは、展示台１０３の筐体内に設けられた信号ケーブル１３０ａ〜１３０ｄを介して、展示台１０３の変換装置１６０と電気的に接続される。一方、タブレット端末３００は、展示台１０３の筐体内に設けられたＵＳＢケーブル１４０を介して変換装置１６０と通信接続される。そして、携帯情報端末４００ａ〜４００ｄのそれぞれに対応した設置台２００ａ〜２００ｄは、信号ケーブル１３０ａ〜１３０ｄを介して、変換装置１６０へ信号を送信する。変換装置１６０は、設置台２００ａ〜２００ｄから送信された信号を受信すると、その信号によって示される内容を、タブレット端末３００によって処理し得る情報を示すデータに変換する。そして、変換装置１６０は、そのデータを、ＵＳＢケーブル１４０を介してタブレット端末３００へ送信する。変換装置１６０は、この発明における「通知部」の一例であってよい。
【００７０】
また、設置台２００ａ〜２００ｄのそれぞれは、上記と同様に上部筐体及び下部筐体（２２０ａ〜２２０ｄ。図１１参照。）を備え、各上部筐体は対応する携帯情報端末４００ａ〜４００ｄに固定され、各下部筐体は展示台１０３の上面に固定されている。設置台２００ａ〜２００ｄのそれぞれには、上部筐体と下部筐体との着脱を監視する接点監視回路が設けられている。この接点監視回路は、上述した接点監視回路２２１と同様の構成とすればよく、設置台２００ａ〜２００ｄのいずれかにおいて上部筐体と下部筐体とが離脱したことを検知すると、その旨を示す信号を、接点インターフェース２２３を介して変換装置１６０へ送信し、上部筐体が下部筐体に支持されたことを検知すると、その旨を示す信号を、接点インターフェース２２３を介して変換装置１６０へ送信する。これにより、閲覧者が携帯情報端末４００ａ〜４００ｄのいずれを持ち上げたかを検知することが可能となる。
【００７１】
図１１は、変換装置１６０の構成の一例を示す。
【００７２】
変換装置１６０の筐体内には、電源回路１６１、ＣＰＵ１６２、ＲＯＭ１６３、ＲＡＭ１６４、接点インターフェース１６５、変換回路１６６及びＵＳＢインターフェース１６７が設けられている。
【００７３】
電源回路１６１、ＣＰＵ１６２、ＲＯＭ１６３、ＲＡＭ１６４は、上記した電源回路１１１、ＣＰＵ１１２、ＲＯＭ１１３、ＲＡＭ１１４とそれぞれ同様に構成すればよい。
【００７４】
図１１に示すように、接点インターフェース１６５には、携帯情報端末４００ａ〜４００ｄに対応する下部筐体２２０ａ〜２２０ｄの各接点監視回路からの信号ケーブル１３０のコネクタが接続される。
【００７５】
変換回路１６６は、下部筐体２２０ａ、２２０ｂ、２２０ｃ、２２０ｄから受信した信号によって示される内容を、タブレット端末３００によって処理し得る情報を示すデータに変換する回路である。
【００７６】
図１１に示すＵＳＢインターフェース１６７には、携帯情報端末４００ａ〜４００ｄのそれぞれに対応したＵＳＢケーブル１７０ａ〜１７０ｄのコネクタが接続される。また、タブレット端末３００と接続したＵＳＢケーブル１４０のコネクタが接続される。このＵＳＢケーブル１７０ａ〜１７０ｄは、この発明における「通信手段」の一例であってよいが、本発明において、「通信手段」は特に限定されるものではなく、上記のＵＳＢケーブル１７０ａ〜１７０ｄに代えて、ＢＬＵＥＴＯＯＴＨ（登録商標）などの無線通信手段で構成してもよい。
【００７７】
このような構成により、変換装置１６０は、それぞれの接点監視回路が検知した状態を示す信号を受信して、その信号に基づいて、携帯情報端末４００ａ〜４００ｄに対応する設置台２００ａ〜２００ｄのうち、どの上部筐体が下部筐体に支持されているか、離脱しているかを通知するデータを、タブレット端末３００へ、ＵＳＢインターフェース１６７を介して送信する。
【００７８】
タブレット端末３００は、図５を参照して説明したものと同一の構成であればよく、タブレット端末３００のＵＳＢインターフェース３８０は、ＵＳＢケーブル１４０を介して変換装置１６０と接続されている。ＵＳＢインターフェース３８０は、それぞれの接点監視回路が検知した状態を示す信号及び携帯情報端末の識別情報を受信するためのインターフェースである。また、外部記憶装置３６０には、携帯情報端末毎の統計情報３６１及び解説情報３６２が記憶される。
【００７９】
このように、本発明に係る携帯情報端末の展示システムでは、複数の携帯情報端末を同時に展示することができるため、これにより、展示を閲覧する者が任意の携帯情報端末を手に取った場合、その手に取った携帯情報端末に対応する情報をタブレット端末に表示することができ、閲覧する者に対して手に取った携帯情報端末に即した内容の情報を提供することが可能となる。また、この動作情報は記録され、閲覧者の趣向や興味等を分析するための情報として利用することが可能となる。
【００８０】
以上、本発明を実施の形態を用いて説明したが、本発明の技術的範囲は、上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００８１】
特許請求の範囲、明細書及び図面中において示したシステム、方法、装置、プログラム及び記録媒体における動作、手順、ステップ及び段階等の各処理の実行順序は、特段「より前に」、「先立って」等と明示しておらず、また、前の処理の出力を後の処理で用いるのでない限り、任意の順序で実現し得ることに留意すべきである。特許請求の範囲、明細書及び図面中の動作フローに関して、便宜上「まず、」、「次に、」等を用いて説明したとしても、この順で実施することが必須であることを意味するものではない。
【符号の説明】
【００８２】
１００、１０３  展示台
１１０、１６０  変換装置
１１１、１６１  電源回路
１１２、１６２  ＣＰＵ
１１３、１６３  ＲＯＭ
１１４、１６４  ＲＡＭ
１１５、１６５  接点インターフェース
１１６、１６６  変換回路
１１７  ＵＳＢインターフェース
１２０、１７０  ＵＳＢケーブル
１３０  信号ケーブル
１４０  ＵＳＢケーブル
１５０  外部電源
２００  設置台
２１０  上部筐体
２２０  下部筐体
２２１  接点監視回路
２２２  電源回路
２２３  接点インターフェース
２３０  ケーブル
３００、７００  タブレット端末
３１０  電源回路
３２０  ＣＰＵ
３３０、７３０  ＲＯＭ
３４０  ＲＡＭ
３５０  無線通信装置
３６０  外部記憶装置
３６１  統計情報
３６２  解説情報
３７０  タッチパネル
３８０  ＵＳＢインターフェース
４００  携帯情報端末
５００  サーバ
５１０  統計情報データベース
５２０  解説情報データベース
６００  通信回線
【図１】
2014166341.tif 000003
【図２】
2014166341.tif 000004
【図３】
2014166341.tif 000005
【図４】
2014166341.tif 000006
【図５】
2014166341.tif 000007
【図６】
2014166341.tif 000008
【図７】
2014166341.tif 000009
【図８】
2014166341.tif 000010
【図９】
2014166341.tif 000011
【図１０】
2014166341.tif 000012
【図１１】
2014166341.tif 000013